(57)【特許請求の範囲】
【請求項１】
箱状容器の前面板を除去した形状の２つの容器を、貯蔵室底壁或いは棚板上に上下可変可能な状態で、しかも貯蔵室を形成する側壁間巾一杯になるよう配設すると共に、背面板に冷気吹出口に対向する冷気取入口を設け、更に背面板の上下端に貯蔵室内の他の棚板（底壁含む）等に設けられた係止穴に係止する係止片を設けたことを特徴とする冷蔵庫。
【請求項２】
併設される２つの容器の一方を、上下反転させて設置可能としたことを特徴とする請求項１記載の冷蔵庫。
【請求項３】
背面板に設けられる冷気取入口を２個以上設け、容器を上下可変させた時、どちらか一方の冷気取入口が冷気吹出口に対向するようにしたことを特徴とする請求項１記載の冷蔵庫。
【請求項４】
２つの容器の側面板の一方は、貯蔵室を形成している側壁に近接して設けられ、２つの容器の他方側面板同志は隣り合うよう、貯蔵室底壁或いは、他の棚板上に配設されるようにしたことを特徴とする請求項１記載の冷蔵庫。
【発明の詳細な説明】
【０００１】
【産業上の利用分野】
本発明は、冷蔵庫に係り、背の高い瓶あるいは食品を必要に応じ冷蔵庫内に収納するのに好適で、特に、安価で、かつ収納性の良好な棚を提供する冷蔵庫に関するものである。
【０００２】
【従来の技術】
背の高い瓶あるいは食品を必要に応じ冷蔵庫内に収納する、従来の冷蔵庫を図６〜図９を参照して説明する。
【０００３】
図６は、従来構造を示す冷蔵庫本体の正面図、図７は、図６のＰ部拡大側面図、図８は、図７の可変棚を操作した説明図、図９は、図８の可変棚を操作した説明図である。
【０００４】
図６において、２１は冷蔵庫本体で、この冷蔵庫本体２１は、内部に冷凍室２２、冷蔵室２３等を有している。２４は、上記冷蔵室２３間を数段に区画する棚網で、この棚網２４の各棚網間は通常１２０ｍｍ〜１５０ｍｍ程度のピッチに構成されている。
【０００５】
２５は上記棚網の内の一段に含まれる可変棚で、この可変棚２５は、図７に示すように、手前棚２６と奥側棚２７とで構成されている。
【０００６】
２８，２９は、上記可変棚２５を図７ないし図９に示す如く可変させるための案内手段に係るレールである。このレール２８，２９は、図９に示す如く、上記可変棚を回動させるための軸受３０を備えている。
【０００７】
上記構成の可変棚２５を利用して、上記１２０ｍｍ〜１５０ｍｍ間隔より大きい寸法の食品等を収納する場合には、必要に応じ上記可変棚２５を可変させるものである。
【０００８】
図７には、手前棚２６と奥側棚２７とを併設して１２０ｍｍ〜１５０ｍｍ間隔より小さい寸法の食品等を収納する場合を示している。図８には、手前棚２６を奥側棚２７の下に引き込んで、手前に上記１２０ｍｍ〜１５０ｍｍより背の高い瓶あるいは食品等収納し、奥側に１２０ｍｍ〜１５０ｍｍ間隔より小さい寸法の食品等をを収納する場合を示している。
【０００９】
図９には、図８に示したように手前棚２６を奥側棚２７に引き込んだ可変棚を軸受３０を介して回動させ、背の高い瓶あるいは食品等を手前と奥側とに収納したものを示している。
【００１０】
この種構造を採用した冷蔵庫としては、例えば、実開昭５８−８１４９１号公報記載のものが知られている。
【００１１】
【発明が解決しようとする課題】
上記従来の冷蔵庫の可変棚構造においては次のような問題点があった。
【００１２】
（１）手前の棚を奥側の棚の下に引き込んで、そこに背の高い瓶あるいは食品を収納したとき、奥側の棚の上側あるいは下側に収納されていた食品の取り出しが非常に難しいという問題があった。すなわち、奥側の棚の上側あるいは下側に収納されている食品を取り出すときには、先に入れた背の高い瓶あるいは食品を取り出した後でなければ、それら食品を見ることも取り出すことも出来なかった。
（２）通常冷蔵庫内に設置される棚は、食品の取り出しの容易性あるいは収納性を考慮して引出し式に設計されているが、従来の可変棚構造においては、これを引出し式によることは構造上非常に難しく、どうしても固定式となってしまう。
【００１３】
このため、食品の取り出しが面倒で、また収納性が悪いという問題があった。
【００１４】
本発明は、上記従来技術の問題点を解決するためになされたもので、本発明の目的は、種々の食品の収納が可能で、食品の出し入れを容易にした、安価で収納性の良い可変棚を有する冷蔵庫を提供することにある。
【００１５】
【課題を解決するための手段】
上記目的達成するために、本発明に係る冷蔵庫の基本的な構成は、箱状容器の前面板を除去した形状の２つの容器を貯蔵室底壁あるいは棚板上に、上下可変可能な状態で、しかも、貯蔵室を形成する側壁間巾一杯になるよう配設すると共に、背面板に冷気吹出口に対向する冷気取入口を設け、更に、背面板の上下端に貯蔵室内の他の棚板（底壁含む）等に設けられた係止穴に係止する係止片を設けたものである。
【００１６】
具体的には上記冷蔵庫に於いて、併設される２つの容器の一方を、上下反転させて設置可能としたものである。
【００１７】
更には、背面板に設けられる冷気取入口を２個以上設け、容器を上下可変させた時、どちらか一方の冷気取入口が冷気吹出口に対向するようにしたものである。
【００１８】
又、２つの容器の側面版の一方は、貯蔵室を形成している側壁に近接して設けられ２つの容器の他方側面板同志は隣り合うよう、貯蔵室底壁或いは、他の棚板上に配設されるようにしたものである。
【００１９】
【作用】
上記技術手段による働きは、次の通りである。
【００２０】
本発明の可変容器においては、通常容器（棚）として使用する場合には実施例で詳細を後述する図１の如く両容器７，８とも底部棚板９に対し、容器７，８の底面７ｅ，８ｅが上方に位置するよう設置しておけばよい。
【００２１】
また、可変棚６の半巾位を使って瓶あるいは背の高い食品を収納しようとする場合には、後述する図３に示す如く、一方の容器８をひっくり返し、丁度、底面８ｅが底部棚板９に重なるよう設置すると、この可変棚６と一段上の棚網５との間が広くなる。これを利用して、瓶あるいは背の高い食品を収納すれば良いものである。
【００２２】
さらに可変棚６の全巾で瓶あるいは背の高い食品を収納する必要が生じたときには、図３に示す容器７も容器８同様ひっくり返すことにより、多量の瓶あるいは背の高い食品の収納に応じられるものである。勿論、上記容器７，８は通常時を含め冷蔵室３に対し、引出し自在になされているので、食品あるいは瓶の取り出しの容易性および収納性は、従来の可変棚に比較して一段と向上するものである。又、容器７，８は棚板９に設けられた係止穴９ａに係止片７ｆ，８ｆが係止することにより、冷蔵庫の使用状態で該容器７，８が冷蔵室より飛び出ることはないものである。更には、この容器７，８内にも冷気が十分供給されることにより、容器内温度も所定の温度に確保されるものである。
【００２３】
【実施例】
以下、本発明の実施例を図１ないし図５を参照して説明する。
【００２４】
図１は、本発明の一実施例に係る冷蔵庫の容器の概略の構成を示す斜視図、図２は、本発明の可変容器を備えた冷蔵庫本体の一例を示す正面図、図３は、図１の可変容器を可変させた一例を示す斜視図、図４は、図１の可変容器と冷蔵庫との係合関係を示す断面図、図５は、図４の可変容器を可変させた一例を示す断面図である。
【００２５】
図２において、１は冷蔵庫本体で、この冷蔵庫本体１は、内部に貯蔵室を構成する冷凍室２、冷蔵室３、野菜室４等を備えている。５は、上記冷蔵室３内に配設された棚網で、この棚網５は、冷蔵室３を等分（１２０〜１５０ｍｍピッチ）するよう設置されている。
【００２６】
６は可変棚で、この可変棚６は、図１、図３にも示す如く、二つの容器７，８から構成されている。この容器７，８は、前面に立上り面がなく、それぞれ背部の背面板７ａ，８ａ両側面の側面板７ｂ，８ｂ、底面板７ｅ，８ｅによって形成され、背面板７ａ，８ａに冷気取入口が開口している。
【００２７】
これら二つの容器７，８は、前記冷蔵室３の側壁３ａ，３ａ間に巾一杯になるよう、しかも併設して底部棚板９上に設けられ、先の可変容器６を構成するものである。
【００２８】
図４に示す７ｃ，８ｃは、前記側面板７ｂ，８ｂの先端に外方に突出して設けられた立上り面フランジであり、７ｄ，８ｄは、容器の底面板７ｅ，８ｅが前記側面板７ｂ，８ｂより外方に突出して設けられた底面フランジを示す。図１，３に示す１０ａ，１０ｂ，１１ａ，１１ｂはそれぞれ背面板７ａ，８ａに設けられた冷気取入口で、容器７，８内に太い矢印のように冷気を取入れるものである。この冷気取入口１０ａ，１０ｂ，１１ａ，１１ｂが２個あるのは、上記容器７，８を反転させた時、冷蔵庫本体側に設けられた冷気吹出口（図示せず）にあうようにしている為のものである。
【００２９】
９は先に記述した如く、冷蔵室３の底部を構成する底部棚板である。
【００３０】
７ｆ，８ｆは背面板７ａ，８ａの上下端に設けられた係止片、この係止片７ｆ，８ｆは、３〜５ｍｍ位の高さを有するもので、底部棚板９側に設けられた係止穴９ａに係止する。
【００３１】
この係止片７ｆ，８ｆの係止穴９ａへの係合関係は、可変容器７，８の後方をわずか上に持ちあげることにより外れる関係にしておくものである。
【００３２】
勿論引出されている可変容器７，８を棚板９上をスライドして奥に押し込む時には、隣りの容器の側面板と側壁３ａが案内となり定位置に知らず知らずの間に係止する構造に設定しておくものである。
【００３３】
上記容器７，８は以上のような構成を有するものであるからどのような形態で底面棚板９上に配置されたときでも、冷蔵室３に対し、引出し自在に配置されているものである。
【００３４】
上記構成の可変容器６の取付け、可変態様について各図を参照して説明する。可変棚を構成する二つの容器７，８は、図１，図３の如く設置出来ることは勿論、図には示してないが底面板７ｅ，８ｅが棚板９側に来る組合せもとれるものである。
【００３５】
図を用いて、使い勝手等について詳説すると、図１，４，５に示すごとく、両容器７，８とも底部棚板９に対し、容器７，８の底面７ｅ，８ｅが上方に位置するよう併用した場合には、内箱１４と容器７，８との間、および容器７，８間にはわずかな隙間が形成され、冷気通路にもなるようなされている他、容器７，８間はフランジ７ｄ，８ｄが設けられていることにより、両者間には大きな隙間がなく、底面７ｅ，８ｅ上に載置した食品が、その隙間から落下しないようなされている。次に可変棚６の反巾位を使って瓶或いは背の高い食品を収納しようとする場合には、図３，６に示す如く、一方の容器８をひっくり返し（倒立させ）て、丁度、底面板８ｅが底部棚板９に重なるよう設置すると、この可変容器６と一段上の棚網５との間が広くなる。この空間を利用して、瓶あるいは背の高い食品を収納すれば良い。
【００３６】
さらに、可変棚６の全巾で瓶あるいは背の高い食品を収納する必要が生じたときには、特に図示しないが、図３，５に示す容器７も容器８同様に反転させることより、多量の瓶あるいは背の高い食品の収納に応じられることは言うまでもない。勿論、前記容器７，８は通常時を含め冷蔵室３に対し、引出し自在になされているので、食品あるいは瓶の取り出しの容易性および収納性は、従来の可変棚に比較して一段と向上しているものである。
【００３７】
上記実施例によれば、背面板７ａ，８ａに冷気取入口１０，１１を有し、手前側立上り面のない二つの容器７，８を、冷蔵庫の底部棚板９面に、容器間に大きな隙間ができないように併設させ、その容器７，８の冷蔵室３内への設置状態を変えることにより、瓶あるいは背の高い食品の収納に供するようにしたので、従来の如く、複雑なレールを用いたりすることがないばかりか、瓶の奥側の食品を出し入れするときには、その容器を冷蔵室から引き出すなどすれば容易に行われるものである。又、この時、この容器は係止片の係止がストッパーとなり位置確認がスムーズに行われるものである。
【００３８】
さらに、併設された二つの容器７，８の底部棚板９面への置き方で、幾つかの収納形態が得られるようにしたので、種々の食品の収納が可能になったことは勿論、複雑な構成部品を必要とすることなく、常に最良の状態での食品の貯蔵が可能となるものである。
【００３９】
なお、冷気取入口１０，１１の位置は、上記の如く容器を可変させたときでも、相手の冷気吹出口（図示せず）と位置合せができ、容器内の冷却はいつも同じように行われるものである。
【００４０】
また、上記の実施例では、可変棚６は、二つの容器７，８を併設してなるものを説明したが、本説明はこれに限るものではなく、３個以上の容器を併設して構成しても良い。
【００４１】
【発明の効果】
以上詳細に説明したように、本発明によれば、種々の食品の収納が可能で、食品の出し入れを容易にした、安価で収納性の良い可変棚を有する冷蔵庫を提供することができる。又、貯蔵室を形成する側壁に種々の食品高さ寸法、形状を収納することができる容器を設置するのに何の案内手段も必要としないので、貯蔵室内がスッキリし、見た目にも美しいことは勿論、清掃性に富んだ冷蔵庫が得られるものである。
【００４２】
更に又、上記容器には貯蔵室側に設けられた冷気吹出口に常に対向する冷気取入口が設けられているので、該容器内の冷却は確実に行なわれるものである。
【図面の簡単な説明】
【図１】本発明の一実施例に係る冷蔵庫の可変棚部の概略の構成を示す斜視図である。
【図２】本発明の可変棚を備えた冷蔵庫本体の一例を示す正面図である。
【図３】図１の可変棚を可変させた一例を示す斜視図である。
【図４】図１の可変棚と冷蔵庫との係合関係を示す断面図である。
【図５】図４の可変棚を可変させた一例を示す断面図である。
【図６】従来構造を示す冷蔵庫本体の正面図である。
【図７】図６のＰ部拡大側面図である。
【図８】図７の可変棚を操作した説明図である。
【図９】図８の可変棚を操作した説明図である。
【符号の説明】
１…冷蔵庫本体、
３…冷蔵室、
５…棚網、
６…可変棚、
７，８…容器、
７ａ，８ａ…背面板、
７ｂ，８ｂ…側面板、
７ｃ，８ｃ…立上り面フランジ、
７ｄ，８ｄ…底面フランジ、
７ｅ，８ｅ…底面板、
７ｆ，８ｆ…係止片、
９…底部棚板、
９ａ…係止穴、
１０，１１…冷気取入口、
１４…内箱。
【図１】
0003584504.tif 000002
【図２】
0003584504.tif 000003
【図３】
0003584504.tif 000004
【図４】
0003584504.tif 000005
【図５】
0003584504.tif 000006
【図６】
0003584504.tif 000007
【図７】
0003584504.tif 000008
【図８】
0003584504.tif 000009
【図９】
0003584504.tif 000010